(57)【要約】【課題】大きさの異なる複数の太鼓を簡便に運送ないしは搬送することができる入れ子太鼓を提供する。【解決手段】片面太鼓１１は、空洞となった胴部１２の一端側が開放され、他端側に革１４が張られた状態で固定されている鼓面を有する。片面太鼓２１は、空洞となった胴部２２の一端側が開放され、他端側に革２４が張られた状態で固定されている鼓面を有し、その胴部２２の外径が、片面太鼓１１の胴部１２の内径より小さくなっている。片面太鼓２１は、片面太鼓１１の開放端１３からその胴部１２内に入れ子状に挿入されて収納され、入れ子太鼓１が構成される。このような構成では、大きさの異なる複数の太鼓を入れ子状にして簡便に運送ないしは搬送することができる。【選択図】図２
0003155126.tif 000002
【実用新案登録請求の範囲】
【請求項１】
空洞となった胴部の一端側が開放され、他端側に鼓面を有する第１と第２の片面太鼓からなり、第２の片面太鼓が、第１の片面太鼓の開放端側から第１の片面太鼓の胴部内に入れ子状に挿入され、第１の片面太鼓の胴部内に収納できることを特徴とする入れ子太鼓。
【請求項２】
第２の片面太鼓は、その鼓面側から第１の片面太鼓の胴部内に挿入されて収納されることを特徴とする請求項１に記載の入れ子太鼓。
【請求項３】
空洞となった胴部の一端側が開放され、他端側に鼓面を有する他の片面太鼓が入れ子状に収納されている片面太鼓に入れ子状に収納されることを特徴とする請求項１又は２に記載の入れ子太鼓。
【請求項４】
両端に鼓面を有する太鼓が入れ子状に収納されている片面太鼓の胴部内に収納されることを特徴とする請求項１又は２に記載の入れ子太鼓。
【請求項５】
前記両端に鼓面を有する太鼓の外周面と、該太鼓を収納する片面太鼓の内周面の間に、他の片面太鼓が挿入されることを特徴とする請求項４に記載の入れ子太鼓。
【請求項６】
前記第１と第２の片面太鼓の胴部が円柱状になっていることを特徴とする請求項１から５のいずれか１項に記載の入れ子太鼓。
【請求項７】
前記第１と第２の片面太鼓の胴部が樽状になっていることを特徴とする請求項１から５のいずれか１項に記載の入れ子太鼓。
【請求項８】
前記第１の片面太鼓の胴部の内周面に胴部の伸びる方向に凹条あるいは凸条が形成され、前記凹条あるいは凸条と嵌合する凸条あるいは凹条が、第２の片面太鼓の胴部の外周面に該胴部の延びる方向に形成されることを特徴とする請求項１から６のいずれか１項に記載の入れ子太鼓。
【考案の詳細な説明】
【技術分野】
【０００１】
本考案は、入れ子太鼓、更に詳細には、複数の太鼓を入れ子状に収納した入れ子太鼓に関する。
【背景技術】
【０００２】
一般に、太鼓は、桶胴太鼓や締太鼓等の胴の両端に革が紐締めされて、あるいは鋲止めされて鼓面を形成している（特許文献１）。そして、太鼓には、種々の大きさの太鼓があって、胴の太さ及び長さが違っている。
【先行技術文献】
【特許文献】
【０００３】
【特許文献１】特開２００４−８６１１７号公報
【考案の概要】
【考案が解決しようとする課題】
【０００４】
演奏会に当たっては、一般には、太鼓を並べて、あるいは積み重ねて演奏会場に運送するのが普通であり、太鼓の数が多くなればなるほど、また、大きさの異なる太鼓が異なるほど、運送ないし搬送に工夫がいり、また運送費などがかさむという問題があった。
【０００５】
本考案は、このような問題点に鑑みてなされたもので、大きさの異なる複数の太鼓を簡便に運送ないしは搬送することができる入れ子太鼓を提供することを課題とする。
【課題を解決するための手段】
【０００６】
本考案（請求項１）は、空洞となった胴部の一端側が開放され、他端側に鼓面を有する第１と第２の片面太鼓からなり、第２の片面太鼓が、第１の片面太鼓の開放端側から第１の片面太鼓の胴部内に入れ子状に挿入され、第１の片面太鼓の胴部内に収納できることを特徴とする。
【０００７】
請求項２の考案では、第２の片面太鼓は、その鼓面側から第１の片面太鼓の胴部内に挿入されて収納される。
【０００８】
請求項３の考案では、空洞となった胴部の一端側が開放され、他端側に鼓面を有する他の片面太鼓が入れ子状に収納されている片面太鼓に入れ子状に収納される。
【０００９】
請求項４の考案では、両端に鼓面を有する太鼓が入れ子状に収納されている片面太鼓の胴部内に収納される。
【００１０】
請求項５の考案では、両端に鼓面を有する太鼓の外周面と、該太鼓を収納する片面太鼓の内周面の間に、他の片面太鼓が挿入される。
【００１１】
請求項６の考案では、第１と第２の片面太鼓の胴部が円柱状になっており、請求項７の考案では、第１と第２の片面太鼓の胴部が樽状になっている。
【００１２】
請求項８の考案では、第１の片面太鼓の胴部の内周面に胴部の伸びる方向に凹条あるいは凸条が形成され、前記凹条あるいは凸条と嵌合する凸条あるいは凹条が、第２の片面太鼓の胴部の外周面に該胴部の延びる方向に形成される。
【考案の効果】
【００１３】
本考案は、空洞となった胴部の一端側が開放され、他端側に鼓面を有する第１と第２の片面太鼓からなり、第２の片面太鼓が、第１の片面太鼓の開放端側から第１の片面太鼓の胴部内に入れ子状に挿入され、第１の片面太鼓の胴部内に収納されるので、大きさの異なる複数の太鼓を入れ子状にして簡便に運送ないしは搬送することができる。
【図面の簡単な説明】
【００１４】
【図１】（ａ）は片面太鼓を鼓面側から見た斜視図、（ｂ）は開放端側から見た斜視図である。
【図２】（ａ）は片面太鼓を入れ子にする前の分解斜視図、（ｂ）は入れ子にした状態を示す斜視図である。
【図３ａ】入れ子太鼓に更に他の太鼓を入れ子状態にして収納する状態を示した分解斜視図である。
【図３ｂ】入れ子太鼓に更に他の太鼓を入れ子状態にして収納する状態を示した分解斜視図である。
【図４】入れ子太鼓の他の実施例を示した分解斜視図である。
【図５】入れ子太鼓の更に他の実施例を示した分解斜視図である。
【考案を実施するための形態】
【００１５】
以下、図面に示す実施例に基づいて本考案を詳細に説明する。以下では、和太鼓を例にして説明するが、和太鼓だけでなく、洋太鼓にも適用できるものである。
【実施例】
【００１６】
図１（ａ）、（ｂ）において、符号１１で示すものは、片面太鼓で、空洞となった胴部１２の一端側が開放されて開放端１３となっている。また、片面太鼓１１は、他端側に複数の鋲１５により革１４が張られた状態で固定されている鼓面（打面ともいう）を有する。胴部１２はほぼ円柱状で木材でできており、鼓面に張られている革１４は牛皮でできている。胴部１２には、太鼓を演奏台上に固定するための紐（不図示）が複数箇所に取り付けられている。このような太鼓は、革１４の鼓面が片側だけに設けられているので、本明細書では、片面太鼓という。
【００１７】
なお、鼓面に張られるのは、牛皮をなめした革だけでなく、他の動物の皮をなめした革でもよく、また他の素材、例えば、プラスチック、紙、木材など、ばちで打つことにより音を発生させる素材であってもよい。また、これらの革、他の素材は、鋲１５で固定される以外にも、例えば紐を用いて胴部１２に固定することもできる。また、胴部１２は木材だけでなく、例えばプラスチック、紙、金属で構成することもできる。以下で説明する片面太鼓、あるいは両面太鼓の鼓面に張られるのは、牛皮からできた革、また胴部は木材からできているものとして説明するが、これに限定されず、上記他の革、あるいは素材を鼓面に張ることもでき、また上記他の素材で胴部を構成できるものであり、また革、他の素材は、鋲１５で鼓面に固定される以外にも、例えば紐を用いて胴部に固定できるものである。
【００１８】
片面太鼓（第１の片面太鼓）１１には、図２に示したような片面太鼓（第２の片面太鼓）２１が入れ子状に収納される。片面太鼓２１も、片面太鼓１１と同様に構成されており、空洞となった胴部２２の一端側が開放され、開放端２３となっている。片面太鼓２１は、他端側に複数の鋲２５により革２４が張られた状態で固定されている鼓面を有する。胴部２２もほぼ円柱状で木材でできており、鼓面に張られている革２４は牛皮でできている。胴部２２には、第１の片面太鼓１１の胴部１２と同様に、太鼓を演奏台上に固定するための紐（不図示）が複数箇所に取り付けられている。
【００１９】
片面太鼓２１は、片面太鼓１１と比較して、その胴部２２の外径（鋲２５の高さ分も含む）が、片面太鼓１１の胴部１２の内径より小さくなっており、図２（ａ）から図２（ｂ）に示すように、片面太鼓１１の開放端１３からその胴部１２内に入れ子状に挿入されて収納され、入れ子太鼓１が構成される。
【００２０】
片面太鼓２１の胴部２２の胴長さ（胴部の延びる方向に沿った長さ）は、図２に示した例では、片面太鼓１１の胴部１２の胴長さより短くなっており、図２（ｂ）に示すように、入れ子状態に収納したとき、片面太鼓２１が片面太鼓１１の開放端１３からはみ出すことはない。しかし、片面太鼓２１の胴部２２の胴長さを、片面太鼓１１の胴部１２の胴長さより長くして、入れ子状態に収納したとき、片面太鼓２１が片面太鼓１１の開放端１３からはみ出すような長さにしてもよい。
【００２１】
図２に示した場合には、片面太鼓２１は、その革２４が張られた鼓面側から片面太鼓１１の胴部１２内に挿入されるが、逆にし開放端２３を先頭にして片面太鼓１１内に収納することもできる。この場合には、入れ子太鼓１は、両端が鼓面の革１４、２４により閉じられるので、それ以上に他の太鼓を入れ子状に収納できなくなる。
【００２２】
図３ａには、図２（ｂ）に示した入れ子太鼓１に、更に片面太鼓３１が入れ子状に収納される実施例が示されている。片面太鼓３１は、片面太鼓１１、２１と同様に構成されており、空洞となった胴部３２の一端側が開放され、開放端３３となっている。片面太鼓３１は、他端側に複数の鋲３５により革３４が張られた状態で固定されている鼓面を有する。胴部３２はほぼ円柱状で木材でできており、鼓面に張られている革３４は牛皮でできている。胴部３２にも、太鼓を演奏台上に固定するための紐（不図示）が複数箇所に取り付けられている。
【００２３】
片面太鼓３１は、片面太鼓２１と比較して、その胴部３２の外径（鋲３５の高さ分も含む）が、片面太鼓２１の胴部２２の内径より小さくなっており、片面太鼓３１は、片面太鼓２１が片面太鼓１１に入れ子にして収納されたのと同様に、入れ子太鼓１の内部にある片面太鼓２１の胴部２２内に入れ子にして収納される。
【００２４】
図３ｂは、入れ子太鼓１に両面太鼓４１、５１を収納し、更に片面太鼓６１を入れ子状にして収納する実施例を示している。両面太鼓４１は、胴部４２の両端に革４３、４４が複数の鋲４５、４６で張られた状態で固定されている鼓面を有する。両面太鼓５１も、同様の構成で、胴部５２の両端に革５３、５４が複数の鋲５５、５６で張られた状態で固定されている鼓面を有する。両面太鼓４１、５１は、その胴部４２、５２の外径（鋲４５、４６、５５、５６の高さ分も含む）が、それぞれ片面太鼓２１の胴部２２の内径より小さくなっており、また、両面太鼓４１、５１の胴部４２、５２の合わせた胴長さは、片面太鼓２１の胴部２２の胴長さより短くなっている。
【００２５】
また、図３ｂにおいて、片面太鼓６１は、片面太鼓１１、２１、３１と同様に構成されており、空洞となった胴部６２の一端側が開放され、開放端６３となっている。片面太鼓６１は、他端側に複数の鋲６５により革６４が張られた状態で固定されている鼓面を有する。胴部６２はほぼ円柱状で木材でできており、鼓面に張られている革６４は牛皮でできている。胴部６２にも、太鼓を演奏台上に固定するための紐（不図示）が複数箇所に取り付けられている。片面太鼓６１は、その胴部６２の外径（鋲６５の高さ分も含む）が、片面太鼓２１の胴部２２の内径より小さく、また胴部６２の内径は、両面太鼓４１、５１の胴部４２、５２の外径（鋲４５、４６、５５、５６の高さを含む）より大きくなっている。また、片面太鼓６１の胴部６２の胴長さは、片面太鼓２１の胴部２２の胴長さより短くなっている。
【００２６】
図３ｂに示した実施例では、両面太鼓４１、５１を入れ子太鼓１内の片面太鼓２１の胴部２２内に収納した後、片面太鼓６１を開放端６３を先にして、両面太鼓４１、５１の胴部４２、５２の外周面と片面太鼓２１の胴部２２の内周面との間に挿入し、入れ子状態にして片面太鼓２１内に収納する。両面太鼓４１、５１、並びに片面太鼓６１を入れ子状態にして構成される入れ子太鼓１の場合には、合計４個の太鼓が片面太鼓１１の胴部１２内に収納され、入れ子太鼓１の両側は、革１４と６４で閉じられた状態となり、コンパクトに集合された入れ子太鼓が得られる。
【００２７】
なお、上述した実施例では、片面太鼓１１、２１の胴部１２、２２は円柱状になっているが、図４に示したように、片面太鼓１１、２１の胴部１２’２２’が樽状になっている。この場合、片面太鼓２１の胴部２２’の最大外径が、片面太鼓１１の開放端１３の内径より小さくなっており、片面太鼓２１を片面太鼓１１の胴部１２’内に入れ子状にして収納することができる。
【００２８】
図５に示す実施例では、片面太鼓１１の胴部１２の内周面に胴部１２の伸びる方向に凹条１２ａが形成され、その凹条１２ａと嵌合する凸条２２ａが、片面太鼓２１の胴部２２の外周面に胴部２２の延びる方向に形成される。この実施例の場合には、片面太鼓２１は、胴部２２に形成された凸条２２ａが、片面太鼓１１の胴部１２に形成された凹条１２ａに嵌合するように入れ子状に挿入されて収納されるので、入れ子状になった片面太鼓１１、２１が胴の周方向にずれないという効果が得られる。
【００２９】
図５に示した実施例では、片面太鼓１１の胴部１２に凹条１２ａが形成され、片面太鼓２１の胴部２２に凸条２２ａが形成されたが、片面太鼓１１の胴部１２の内周面に凸条を形成し、その凸条と嵌合する凹条を、片面太鼓２１の胴部２２の外周面に形成するようにしてもよい。
【００３０】
また、片面太鼓１１、２１の胴部１２、２２に形成される凸条ないし凹条は、胴部の周方向に、複数箇所設けるようにしてもよい。
【００３１】
また、入れ子太鼓になお収納空間がある場合には、開放端から例えば、ばち等を挿入でき、太鼓に付随する小道具などを収納できるので、コンパクトな楽器集合体を構成することができる。
【符号の説明】
【００３２】
１    入れ子太鼓
１１、２１  片面太鼓
１２、２２、胴部
１３、２３  開放端
１４、２４  革
１５、２５  鋲
【図１】
0003155126.tif 000003
【図２】
0003155126.tif 000004
【図３ａ】
0003155126.tif 000005
【図３ｂ】
0003155126.tif 000006
【図４】
0003155126.tif 000007
【図５】
0003155126.tif 000008